(57)【特許請求の範囲】
【請求項１】
上枠と、吊元側竪枠、戸先側竪枠とを備えた扉枠を壁開口に取り付け、扉枠の前記吊元側竪枠に、扉の吊元側部分を蝶番若しくはピボットヒンジを介して開閉自在に取り付けた扉装置において、扉枠の上枠を壁開口に面内移動可能に取り付け、前記戸先側竪枠を上側竪枠と下側竪枠との上下２体に分割して上側竪枠を上枠と一体に接合し、上下側竪枠の何れか一方の竪枠には接合ピースを一体に備えて他方の竪枠に上下方向に移動自在に嵌め込み、その接合ピースと他方の竪枠とを、上側竪枠を上方に引っ張る所定の破断力で破断する結合部材で一体としたことを特徴とする扉装置の枠構造。
【請求項２】
上枠と、吊元側竪枠、戸先側竪枠とを備えた扉枠を壁開口に取り付け、扉枠の前記吊元側竪枠に、扉の吊元側部分を蝶番若しくはピボットヒンジを介して開閉自在に取り付けた扉装置において、扉枠の上枠を壁開口に面内移動可能に取り付け、前記戸先側竪枠の長手中間部に長手と直交する不連続な切り込みを入れて、切り込みの間の結合部分により上側竪枠と下側竪枠とが繋がった状態で上側竪枠を上枠と一体に接合し、上下側竪枠の何れか一方の竪枠には接合ピースを一体に備えて他方の竪枠に上下方向に移動自在に嵌め込み、上記結合部分は、上側竪枠を上方に引っ張る所定の破断力で破断する強度となっていることを特徴とする扉装置の枠構造。
【請求項３】
接合ピースは、他方の竪枠の背面に沿って摺動するように嵌め込まれていることを特徴とする請求項１または２記載の扉装置の枠構造。
【請求項４】
戸先側竪枠は、上枠との接合部分に近い位置で上側竪枠と下側竪枠とに分かれることを特徴とする請求項３記載の扉装置の枠構造。
【発明の詳細な説明】
【０００１】
【発明の属する技術分野】
この発明は、扉装置の枠構造に関し、特に地震発生で躯体と共に扉枠が変形したときにも、扉を開くことができる前記構造に関する。
【０００２】
【従来の技術】
従来一般の扉装置では、図９（ａ）に示すように、扉枠ａの内側に扉ｂが蝶着されており、扉上部（上縁）ｃと扉枠ａの上枠ｄの内側との間は、扉ｂの全幅に亘って、一定の（３〜５ｍｍ）上チリ寸法Ｌが設けてある。図９（ｂ）のように、地震等により、戸先側から吊元側に向けて扉枠ａが変形した場合、扉ｂの戸先側上端が前記上チリ寸法Ｌだけ持ち上げられ、上枠ｄの内側に下方から突き当たる。
【０００３】
【発明が解決しようとする課題】
従来の扉枠、殊にスチール扉では、上枠ｄと吊元側、戸先側竪枠ｅ，ｆとは溶接結合で完全一体化されており、アンカー金具ｇにより壁開口ｈに一体に固定されている。そのため、上記のように扉ｂの戸先側上端が上枠ｄを下側から押上げた時には、戸先側上端が壁開口ｈに固定の上枠ｄに大きな力で押し付けられ、扉ｂを開くことができなくなり、避難経路が確保できない。
本願の課題は、地震により、扉枠が戸先側から吊元側へ向けて変形して扉の戸先側上端が扉枠の上枠を下から押上げた場合に、上枠を上方に逃がすようにして扉の戸先側上端が上枠に固く押し付けられることを防止して、扉を開くことができるようにするものである。
尚、特開平９−１３８３１号は、扉枠が内側につぶれたときに、その変形に対応して扉が内側につぶれるように、扉の上、下框、左右の竪框をそれぞれ２分割して、夫々の框において長手方向の内側に向けて摺動する構造としたものであるが、本願のように、扉枠が戸先側から吊元側へ向けて変形して扉の戸先側上端が扉枠の上枠を下から押上げた時を想定しているものではない。
【０００４】
【課題を解決するための手段】
上記課題解決のため、本願では、上枠と、吊元側竪枠、戸先側竪枠とを備えた扉枠を壁開口に取り付け、扉枠の前記吊元側竪枠に、扉の吊元側部分を蝶番若しくはピボットヒンジを介して開閉自在に取り付けた扉装置において、扉枠の上枠を壁開口に面内移動可能に取り付け、前記戸先側竪枠を上側竪枠と下側竪枠との上下２体に分割して上側竪枠を上枠と一体に接合し、上下側竪枠の何れか一方の竪枠には接合ピースを一体に備えて他方の竪枠に上下方向に移動自在に嵌め込み、その接合ピースと他方の竪枠とを、上側竪枠を上方に引っ張る所定の破断力で破断する結合部材で一体としたことを特徴とする。
または、上枠と、吊元側竪枠、戸先側竪枠とを備えた扉枠を壁開口に取り付け、扉枠の前記吊元側竪枠に、扉の吊元側部分を蝶番若しくはピボットヒンジを介して開閉自在に取り付けた扉装置において、扉枠の上枠を壁開口に面内移動可能に取り付け、前記戸先側竪枠の長手中間部に長手と直交する不連続な切り込みを入れて、切り込みの間の結合部分により上側竪枠と下側竪枠とが繋がった状態で上側竪枠を上枠と一体に接合し、上下側竪枠の何れか一方の竪枠には接合ピースを一体に備えて他方の竪枠に上下方向に移動自在に嵌め込み、上記結合部分は、上側竪枠を上方に引っ張る所定の破断力で破断する強度となっていることを特徴とする。
これによれば、扉枠が戸先側から吊元側へ向けて変形して扉の戸先側上端が扉枠の上枠を下から押上げ、その時の押し上げ力が結合部材あるいは結合部分の破断力を超えると、結合部材（結合部分）が破断して上側竪枠が下側竪枠に対して上方に分離する。その結果、扉の戸先側上端が上枠に固く押し付けられることがなくなり、扉を開くことができる。ここで、結合部材あるいは結合部分の強度は、上枠と吊元、戸先側の各竪枠を組み付けて扉枠を構成し、その扉枠を通常状態で運搬したり、使用したりしたときには、破断しない程度の荷重に耐えるものとなっており、扉枠を壁開口に取りつける取り付け作業時においても破断することがないように設定される。
接合ピースは、他方の竪枠の背面に沿って摺動するように嵌め込まれており、また、戸先側竪枠は、上枠との接合部分に近い位置で上側竪枠と下側竪枠とに分かれるようにしてある。
【０００５】
【発明の実施の形態】
図１において、スチール製の扉枠１は、吊元側竪枠２、戸先側竪枠３、上枠４とを枠組みして構成されている。吊元側竪枠２の上端は上枠４の吊元側端に直交して接合され、一体に溶着されている。戸先側竪枠３は、図４に示す断面形状を成し、吊元側竪枠２は、これと対称形状である。戸先側竪枠３は、上端に近い部分で上下側竪枠５，６に分割されている。上側竪枠５の上端は、上枠４の戸先側端部に直交して接合され、一体に溶着されている。上側竪枠５の背面側（コンクリート壁側）には、図２、４に示すように、所定の上下（長手）長さを有し、上側竪枠５の背面の屈曲形状に倣った断面形状の接合ピース７の上部７ａが嵌め込まれ、上側竪枠５に一体溶着されている。
【０００６】
接合ピース７の下部７ｂは、下側竪枠６の背面に沿うように下側竪枠６に上下方向に摺動移動できるように嵌め込まれ、その下端部近傍において、下側竪枠６と水平方向のねじ（結合部材）８で結合されている。このねじ８は、所定の上下方向のせん断力が作用すると、破断する強度を有している。その許容せん断力は、上枠４と吊元、戸先側の各竪枠２，３を組み付けて扉枠１を構成し、その扉枠を通常状態で運搬したり、使用したりしたときには、破断しない程度の荷重に耐えるものとなっており、扉枠を壁開口に取りつける取り付け作業時においても破断することがなく、地震により扉４０の戸先側が持ち上げられて上枠４を押上げるような異常かつ過大な所定の外力（破断力）が作用したときには、破断するように設定される。
【０００７】
この扉枠１は、壁開口１０に取り付けられる。この時、戸先側竪枠３の、下側竪枠６は、従来同様に、下側竪枠６の取り付け片１１に溶着したアンカー金具１２と、そのアンカー金具１２に溶着した溶接鉄筋棒１３とにより、コンクリート壁１４と一体に取り付けられる。また、吊元側竪枠２も、上記同様にアンカー金具１２と溶接鉄筋棒１３とにより吊元側の壁１４に一体に取り付けられる。
【０００８】
一方、上側竪枠５を一体に備えた上枠４は、壁開口１０に対して面内変位できるように取り付け金具２０を介して壁開口１０に取り付けられる。取り付け金具２０は、図５にその一端部を示すように（逆側はこれと対称である）、上枠４の長手方向に対して短い幅を有し、見込み方向両側を面内変形方向（垂直方向）に直角に折り曲げて取り付け片２１とし、この取り付け片２１には、上下方向の長孔２２を形成してある。上枠４には、この取り付け片２１の見込み方向外側面に取り付けられる垂直片４ａが上枠４の全長に亘って設けてあり、上記取り付け片２１と対応する部分には、上枠４長手方向の長孔２３が形成されている。前記取り付け片２１の見込み方向外側面には板状のすべり部材２４が貼り付けられ、そのすべり部材２４を挟んで垂直片４ａの外側からリベット２５が、上記２つの長孔２２，２３を貫通して取り付け片２１の内側でかしめ付けてある。リベット２５によるかしめ付けの程度は、地震に際して、扉４０が上枠４を押上げるような変形によって過大な外力が作用したときに、上枠４が上方に滑ることができる程度となっている。上下方向の長孔２２と左右方向の長孔２３にリベット２５が挿通されているこの構造により、上枠４は扉枠１の面内で何れの方向にも変位可能である。
【０００９】
図３に示すように、こうして壁開口１０に取り付けられた上枠４とコンクリート壁１４との間には、前記取り付け金具２０の取り付け片２１間にわたる見込み幅で上枠４の内側面（背面）と間に空間を持ってモルタル２６が充填され、そのモルタル２６と上枠４の内側面との間の空間には、上枠４が上方に押上げられたときに、上記取り付け金具２０による上方変位を許容するように、発泡ウレタンなどの変形容易な枠内充填材２７が介在してある。また、上枠４の垂直片４ａから見込み方向外側に水平に伸びる上側壁４ｂとコンクリート壁１４の前後面に取り付けられた仕上げ材２８の開口２９との間には、弾性変形容易なシーリング材３０が充填され、やはり、上枠４が上方に押上げられたときに、上記取り付け金具２０による上方変位を許容するようにしてある。開口２９の見込み方向内側には段部３１が設けられ、取り付け金具２０が上方変位したとき、垂直壁４ａと干渉しないようにしてある。
【００１０】
コンクリート壁１４と吊元側竪枠２、戸先側竪枠３との間にも、上記コンクリート壁１４と上枠４間と同一形態で、コンクリート壁１４と一体のモルタル２６と、モルタル２６と竪枠２，３の間の変形容易な枠内充填材（発泡ウレタン）２７が充填されている。戸先側竪枠３において、枠内充填材２７は、接合ピース７部分においては、モルタル２６と接合ピース７の背面の間に充填され（図４）、それ以外の部分では、上枠４部分と同じように、モルタル２６と竪枠３背面との間に充填されている。竪枠２，３と仕上げ材２８の開口２９との間にも、上枠４同様のシーリング材３０が施してある。扉４０はその吊元側部分が上下２個所で蝶番４１により、吊元側竪枠２に開閉可能に連結してある。蝶番４１に代えて、周知のピボットヒンジで扉４０を蝶着してもよい。
【００１１】
このような構成によれば、変形のない図２の状態から、地震により戸先側から吊元側に向けて扉枠１が変形すると、その変形により扉４０の戸先側が上方に持ち上げられ、上枠４に下側から突き当たる。この押上げ力が、ねじ８の許容せん断力を超えると、下側竪枠６と接合ピース下部７ｂとを結合していたねじ８が破断する。すると、扉４０の押し上げ力で上枠４が押上げられ、上枠４は、枠内充填材２７やシーリング材３０を圧縮しながらリベット２５が上下方向の長孔２２に沿って案内されて上方に移動する一方、上側竪枠５は、この上枠４の移動で上方に移動し、上枠４と一体の接合ピース７は、壁開口１０に固定の下側竪枠６に対して、その下部７ｂが対応する枠内充填材２７等を変形させつつ下側竪枠６に対して上方にスライドする（図６）。スライドしても、下部７ｂは下側竪枠６に嵌まった状態が維持されるから、上下側の竪枠５，６がこのように上下に分離しても、その室内外の位相がずれることはない。扉４０の戸先側部分の押し上げによって上枠４の戸先側端部が上方に逃げる構造となっているので、扉戸先側上端が上枠４に固く押し付けられることが防止され、地震で扉枠１が変形しても、扉４０を開いて通路を確保できる。
【００１２】
尚、上記実施形態では、壁構造がコンクリート壁１４による、いわゆる湿式壁の場合を説明したが、本願発明はこれに限らず、図７に示す乾式壁１４ａの壁開口１０に扉装置を取り付ける場合でも適用できる。乾式壁１４ａの場合、上枠４の背面側は、なにも充填されず、シーリング材が仕上げ壁２８ａの開口の間に施されるに過ぎない。
【００１３】
次に図８において、戸先側竪枠３の上側竪枠５と下側竪枠６との別の結合構造を説明する。図８では、戸先側竪枠３の上部が示されている。戸先側竪枠３は、長手の中間部であってその上端に近い部分において、同一水平面内で複数の切り込み５０が不連続に入れてある。この切り込み５０は、たとえば、レーザー加工により形成され、極めて細いスリットである。隣り合う切り込み５０の間は、戸先側竪枠３の壁が小さな寸法で残されており、上側竪枠５と下側竪枠６とは、こうしたいくつかの結合部分８aで繋がっている。この結合部分８ａの強度は、第１の実施形態で説明した結合部材８と同じように、通常の運搬や、建物への施工、使用などにおいては、破断することがなく、地震時の過大な引っ張り力で上側竪枠５が上方へ引っ張られたときにのみ破断する強度に設定されている。この実施形態では、結合ピース７の下部７ｂが下側竪枠６に一体溶着され、上部７ａが上側竪枠５の背面に沿って上下方向に移動可能に嵌め込んである。なお、上側竪枠５の上端が図８で図示していない上枠に一体溶着されていることや上枠が壁開口に対して面内変位するように取り付けられることなど、他の構造は第１の実施形態と同じである。この構成では、地震時に上枠が扉の戸先部分上部により持ち上げられると、図８（ｂ）に示すようにその過大な荷重で結合部分８ａが引き切られ、その部分で上側竪枠５と下側竪枠６とに上下に分離し、上枠が上方に逃げることができる。
【００１４】
【発明の効果】
以上のように本発明によれば、扉枠が戸先側から吊元側へ向けて変形して扉の戸先側上端が扉枠の上枠を下から押上げた時に、戸先側竪枠の上側竪枠が下側竪枠に対して上方に分離して、上枠を上方に逃がすようにしたので、扉の戸先側上端が上枠に固く押し付けられることがなくなり、扉を開くことができ、避難経路を確保できる。
【図面の簡単な説明】
【図１】本願発明に係る扉装置の正面図であり、シーリング材は省略してある。
【図２】扉枠の戸先部分正面拡大図である。
【図３】図２のＩＩＩ−ＩＩＩ線断面図である。
【図４】図１のＩＶ−ＩＶ線断面図である。
【図５】上枠と取り付け金具の分解斜視図である。
【図６】扉枠変形時の戸先部分拡大正面図である。
【図７】他の実施形態である。
【図８】別の実施形態である。
【図９】従来の技術である。
【符号の説明】
１  扉枠
２  吊元側竪枠
３  戸先側竪枠
４  上枠
５  上側竪枠
６  下側竪枠
７  接合ピース
８  ねじ（結合部材）
８ａ  結合部分
１０  壁開口
４０  扉
４１  蝶番
５０  切り込み
【図１】
0003760990.tif 000002
【図２】
0003760990.tif 000003
【図３】
0003760990.tif 000004
【図４】
0003760990.tif 000005
【図５】
0003760990.tif 000006
【図６】
0003760990.tif 000007
【図７】
0003760990.tif 000008
【図８】
0003760990.tif 000009
【図９】
0003760990.tif 000010